(57)【要約】【課題】ボウル部の内面を殺菌液によって効果的に洗浄し得る便器装置を提供する。【解決手段】便器装置１は、ボウル部１０内面に沿わせるように洗浄水を供給する洗浄水供給部２０と、前記洗浄水よりも小流量の殺菌液を該ボウル部内面に沿わせるように供給する殺菌液供給部２６と、洗浄操作がなされれば、前記洗浄水供給部を制御して前記洗浄水を供給させた後に、前記殺菌液供給部を制御して前記殺菌液を供給させる制御部１８と、を備えている。【選択図】図１
2017043995.tif 000002
【特許請求の範囲】
【請求項１】
ボウル部内面に沿わせるように洗浄水を供給する洗浄水供給部と、前記洗浄水よりも小流量の殺菌液を該ボウル部内面に沿わせるように供給する殺菌液供給部と、洗浄操作がなされれば、前記洗浄水供給部を制御して前記洗浄水を供給させた後に、前記殺菌液供給部を制御して前記殺菌液を供給させる制御部と、を備えていることを特徴とする便器装置。
【請求項２】
請求項１において、
前記制御部は、前記ボウル部の水位が溜水レベルよりも低下した状態で、前記殺菌液を供給させることを特徴とする便器装置。
【請求項３】
請求項２において、
前記ボウル部の水位を前記溜水レベルよりも低い低水位レベルにおいて維持可能とした水位可変機構を備えており、
前記制御部は、前記低水位レベルから前記殺菌液の供給を継続させて前記溜水レベルとなるように前記殺菌液供給部及び前記水位可変機構を制御することを特徴とする便器装置。
【発明の詳細な説明】
【技術分野】
【０００１】
本発明は、便器装置に関する。
【背景技術】
【０００２】
従来より、ボウル部に、殺菌液を供給する便器装置が知られている。このような殺菌液を、使用後の洗浄（大洗浄）水として用いることも考えられるが、その場合には、多量の殺菌液が必要となる。
例えば、下記特許文献１には、洗浄タンク内にオゾン水を貯留するオゾン水タンクを設け、洗浄タンク内の洗浄水を便器側へ流出させた後に、オゾン水を便器側へ流出させる便器洗浄装置が開示されている。
【先行技術文献】
【特許文献】
【０００３】
【特許文献１】特開平１１−７１７９７号公報
【発明の概要】
【発明が解決しようとする課題】
【０００４】
しかしながら、上記特許文献１に記載された便器洗浄装置では、オゾン水タンクのフロート弁が開放されて便器側へ流出するオゾン水は、洗浄水と同様に比較的に勢いよく流出する。そのため、オゾン水の大部分がボウル部の内面に接触することなく排出されてしまうことが考えられ、更なる改善が望まれる。
【０００５】
本発明は、上記実情に鑑みてなされたものであり、ボウル部の内面を殺菌液によって効果的に洗浄し得る便器装置を提供することを目的としている。
【課題を解決するための手段】
【０００６】
前記目的を達成するために、本発明に係る便器装置は、ボウル部内面に沿わせるように洗浄水を供給する洗浄水供給部と、前記洗浄水よりも小流量の殺菌液を該ボウル部内面に沿わせるように供給する殺菌液供給部と、洗浄操作がなされれば、前記洗浄水供給部を制御して前記洗浄水を供給させた後に、前記殺菌液供給部を制御して前記殺菌液を供給させる制御部と、を備えていることを特徴とする。
【発明の効果】
【０００７】
本発明に係る便器装置は、上述のような構成としたことで、ボウル部の内面を殺菌液によって効果的に洗浄することができる。
【図面の簡単な説明】
【０００８】
【図１】本発明の一実施形態に係る便器装置の一例を模式的に示す一部省略概略縦断面図である。
【図２】図１に対応させた一部省略概略縦断面図である。
【図３】同便器装置において実行される基本動作の一例を模式的に示す概略タイムチャートである。
【図４】同便器装置において実行される基本動作の他例を模式的に示す概略タイムチャートである。
【図５】同便器装置において実行される基本動作の更に他例を模式的に示す概略タイムチャートである。
【図６】（ａ）、（ｂ）は、本発明の他の実施形態に係る便器装置の一例を模式的に示す一部を省略した一部破断概略縦断面図である。
【発明を実施するための形態】
【０００９】
以下に本発明の実施の形態について、図面に基づいて説明する。
なお、以下の各実施形態では、便器装置を設置した状態を基準として上下方向等の方向を説明する。
また、図３〜図５のグラフでは、横軸を時間軸、縦軸をボウル部の水位とし、その推移を模式的に示しており、また、これらの概略タイムチャートでは、各機器の上下動作や開閉動作等を模式的に示している。
【００１０】
図１及び図２は、第１実施形態に係る便器装置の一例を模式的に示す図である。
本実施形態に係る便器装置１は、図１及び図２に示すように、床等の設置面に設置される着座式のいわゆる洋式の便器装置とされている。
この便器装置１は、ボウル部（便鉢）１０内面に沿わせるように洗浄水を供給する洗浄水供給部２０と、この洗浄水よりも小流量の殺菌液をボウル部１０内面に沿わせるように供給する殺菌液供給部２６と、を備えている。また、便器装置１は、外部排水管３に接続される排水機構等を備えている。また、便器装置１には、ボウル部１０に対して開閉自在（起倒自在）とされた便座４や便蓋５が設けられている。
【００１１】
また、この便器装置１に、便座４や便蓋５を開閉する開閉装置や、脱臭装置、局部洗浄装置、便座４や局部洗浄用水等を温める加熱装置、洗剤供給装置等の各種機能装置や機能部材を設けた構成としてもよい。
また、便器装置１に、人体検知センサーや着座センサー、便座４や便蓋５の開閉を検知する便座センサーや便蓋センサー等の各種センサーを設けた構成としてもよい。また、便器装置１に、上記した各種機能装置を操作する操作部としてのリモコン装置や、リモコン装置の各種信号の送受信を可能とする送受信装置等を設けた構成としてもよい。
【００１２】
ボウル部１０は、上方に向けて開口するすり鉢状とされ、上端部にリム部１１を設けた構成とされている。また、ボウル部１０の下部（底部）には、後方側に向けて延びるように排水管部１２が設けられている。この排水管部１２には、外部排水管３に連通し、排水機構を構成するトラップ部１３が設けられている。
また、本実施形態では、図１及び図２に示すように、ボウル部１０の水位を溜水レベルＬＶ１よりも低い低水位レベルＬＶ２において維持可能とした水位可変機構１３を備えた構成としている。本実施形態では、トラップ部１３を、排水管部１２に一端の接続口１４が接続され、他端の排水口１５側が上下動される水位可変機構を構成するものとしている。つまり、トラップ部１３を、いわゆるターントラップ式のものとしている。
【００１３】
このトラップ部１３は、排水口１５が上方側を向きボウル部１０に溜水可能とする溜水位置、排水口１５が溜水位置よりも低い低水位位置、排水口１５が下方側を向く排水位置に切り替えられる構成とされている。
また、トラップ部１３は、排水口１５側の端部が上下方向に変位可能なように蛇腹筒状とされている。また、トラップ部１３は、ボウル部１０の排水管部１２と外部排水管３とを連通させるように便器装置１内に設けられたトラップケースに収容されている。
便器装置１内には、このトラップ部１３の排水口１５側の端部を上下動させる駆動機構が設けられている。このような駆動機構としては、モーター等の回転駆動部によってアーム軸１７廻りに一端部が回転自在に保持され、他端部の連結部がトラップ部１３の排水口１５側の端部に連結された駆動アーム１６を備えたものとしてもよい。
【００１４】
このトラップ部１３の各位置への切り替え、つまり、駆動アーム１６の回転駆動は、排水及び溜水が可能となるように、後記する洗浄操作部２１（図３参照）の操作等によってなされる当該便器装置１の洗浄水の給水動作に連動するようになされる。
図１の実線にて示すように、トラップ部１３の排水口１５が上方側を向いた溜水が可能な状態（溜水位置）では、トラップ部１３の排水口１５に略至るまで溜水され、ボウル部１０の排水管部１２が封水された状態となる。この溜水レベルＬＶ１は、一般的な溜水の水位としてもよい。また、この溜水レベルＬＶ１を、ボウル部１０内の溜水面が低くなりすぎないよう適宜のレベルとしてもよく、例えば、ボウル部１０の内面の乾燥や内面への汚物の付着等を防ぐ観点等から比較的に大きな溜水面が形成されるように適宜の水位としてもよい。
【００１５】
一方、図１の二点鎖線にて示すように、トラップ部１３の排水口１５が下方側を向いた排水が可能な排水位置では、排水がなされ、ボウル部１０の水位が低下する。
また、図２に示すように、トラップ部１３の排水口１５が上記した溜水位置よりも下方側となるように駆動アーム１６を回転駆動してトラップ部１３を低水位位置とすれば、ボウル部１０の水位が溜水レベルＬＶ１よりも低い低水位レベルＬＶ２となる。この低水位レベルＬＶ２では、通常の喫水線としての溜水レベルＬＶ１よりも下側のボウル部１０の内面が露出する。この低水位レベルＬＶ２は、少なくとも破封レベルよりも高い水位であればよく、また、溜水レベルＬＶ１よりも１０ｍｍ以上、低い水位としてもよく、さらには、２０ｍｍ以上、低い水位としてもよい。また、この低水位レベルＬＶ２を、後記する殺菌液供給部２６から供給される殺菌液をボウル部１０の内面に効果的に付着させる観点や、蒸発や排水先側の一時的な負圧等によって破封が生じ難いように適宜の水位としてもよい。
【００１６】
また、洗浄水供給部２０は、給水元となる給水管（水道管）２に接続される給水ライン２２，２４を備えている。本実施形態では、この洗浄水供給部２０を、水道直圧式とし、便器装置１を、水洗タンクを備えていない、いわゆるタンクレスタイプのものとしている。
給水ライン２２，２４には、ボウル部１０への給水を供給または遮断する洗浄水供給弁２３が設けられている。本実施形態では、給水ライン２２，２４から分岐させるように、後記する殺菌液生成部２８に向けて給水する分岐給水ライン２７を設けている。また、洗浄水供給弁２３を、この分岐給水ライン２７、給水ライン２２，２４の給水元側ライン２２及び給水先側ライン２４が接続された三方切替弁としている。つまり、洗浄水供給弁２３を、給水元側ライン２２と給水先側ライン２４とを連通させるように給水先側に切り替え、給水先側切替状態とすれば、給水元からボウル部１０へ給水される。一方、洗浄水供給弁２３を、給水元側ライン２２と分岐給水ライン２７とを連通させるように殺菌液生成部２８側に切り替え、殺菌液生成部側切替状態とすれば、給水元から殺菌液生成部２８へ給水される。また、洗浄水供給弁２３を、給水を遮断する閉状態に切り替えれば、給水が停止される。
【００１７】
また、給水先側ライン２４の末端には、洗浄水をリム部１１に向けて供給する給水口２５が設けられている。
給水口２５は、ボウル部１０のリム部１１に沿わせるように洗浄水を供給するように設けられている。本実施形態では、リム部１１を、平面視におけるボウル部１０中心側に向けて開口するように、かつ周方向に延びるように凹溝を設けたいわゆるオープンリムとしている。この凹溝に沿わせるように給水口２５から供給された洗浄水は、ボウル部１０内面に沿うように旋回しながら排水管部１２に至る。
この洗浄水供給部２０による洗浄水の供給は、便器装置１に設けられた洗浄操作部２１の洗浄操作によってなされる。このような洗浄操作部２１としては、操作レバーや操作ボタン等としてもよく、また、人体検知センサーや着座センサー等の各種センサーを洗浄操作部として把握、つまり、検知を操作と把握するような態様としてもよい。
【００１８】
殺菌液供給部２６は、本実施形態では、殺菌液を生成する殺菌液生成部２８を備えている。
この殺菌液生成部２８には、上記した分岐給水ライン２７と、当該殺菌液生成部２８において生成した殺菌液をボウル部１０側に向けて供給する供給ライン２９と、が接続されている。なお、上記した洗浄水供給弁２３を、三方切替弁とした態様に代えて、給水ライン２２，２４を開閉する開閉弁とし、分岐給水ライン２７に、殺菌液生成部２８への給水を供給または遮断する開閉弁を設けた構成等としてもよい。また、殺菌液生成部２８への給水を、洗浄水供給部２０と共通の給水ライン２２を介してなされるものとした態様に代えて、別途に給水ラインを介してなされるものとしてもよい。
【００１９】
また、本実施形態では、供給ライン２９を、洗浄水供給部２０の給水先側ライン２４に合流させるように接続した構成としている。つまり、殺菌液生成部２８において生成された殺菌液は、供給ライン２９及び給水先側ライン２４を介し、洗浄水と同様、給水口２５からボウル部１０のリム部１１に向けて供給される。また、供給ライン２９には、殺菌液を供給または遮断する殺菌液供給弁２９ａが設けられている。この殺菌液供給弁２９ａは、開閉弁（ＯＮ／ＯＦＦ弁）としてもよい。なお、このような殺菌液供給弁２９ａを設けずに、逆止弁等の逆流防止機構を設けた構成としてもよい。また、供給ライン２９を、洗浄水供給部２０の給水先側ライン２４に合流させるように接続した態様に代えて、洗浄水供給部２０からの洗浄水の供給とは別途に殺菌液をボウル部１０に供給し得る態様としてもよい。つまり、供給ライン２９の末端に、ボウル部１０に向けて殺菌液を供給する供給口を、給水口２５とは別途に設けた態様としてもよい。
【００２０】
また、殺菌液生成部２８は、本実施形態では、殺菌液としてのオゾン水を生成する構成とされている。また、殺菌液生成部２８は、水を電気分解してオゾン水を生成する構成とされている。つまり、殺菌液生成部２８を、電解式としている。
この殺菌液生成部２８は、分岐給水ライン２７に接続された電解槽内に、電源に接続され、陽極及び陰極を構成する一対の電極２８ａ，２８ａを設けた構成とされている。また、殺菌液生成部２８は、一対の電極２８ａ，２８ａ間に、高分子電解質膜２８ｂを設けた構成とされている。また、殺菌液生成部２８の電解槽内には、電気分解によって生成されたオゾンガスを水に溶解させる溶解部が設けられている。このような電解式の殺菌液生成部２８としては、その他、種々の構成とされたものとしてもよい。
【００２１】
この殺菌液生成部２８を起動し、洗浄水供給弁２３を殺菌液生成部２８側に切り替えれば、一対の電極２８ａ，２８ａに通電されてオゾンガスが生成され、溶解部において水に溶解されてオゾン水が生成される。この殺菌液生成部２８において生成されたオゾン水は、供給ライン２９及び給水先側ライン２４を介してボウル部１０に供給される。なお、殺菌液生成部２８が起動されれば、直ちにまたは所定の遅延時間が経過すれば、殺菌液供給弁２９ａを開放させるようにしてもよい。
また、殺菌液生成部２８の構成によっては、オゾンガスを水に溶解させる気液混合部を設けるようにしてもよい。このような気液混合部としては、例えば、圧壊式や、せん断式、加圧溶解式、エジェクタ式等の適宜の構成とされたものとしてもよい。また、殺菌液生成部２８を、オゾン濃度変更可能な構成とされたものとしてもよい。また、図例では、この殺菌液生成部２８を、ボウル部１０の奥側の上部に設けられた上ケース部６内に設けた例を示しているが、便器装置１の適宜の箇所に設けるようにしてもよい。
【００２２】
なお、殺菌液は、オゾン水に限られず、例えば、次亜塩素酸水や強酸性水、次亜塩素酸ナトリウム溶液、過酸化水素水等としてもよい。また、殺菌液は、水道水よりも殺菌性が高いものであればよく、上記のような電解水や残留性の低い殺菌液に限られず、エタノール等のアルコール系の殺菌液等、その他、種々の殺菌液としてもよい。このような殺菌液の種類に応じて、適宜の殺菌液生成部２８を殺菌液供給部２６に設けたり、また、殺菌液供給部２６において生成せずに、殺菌液を貯留するタンク等の貯留部を殺菌液供給部２６に設けたりしてもよい。この場合は、貯留部に殺菌液を補給するための適宜の開閉蓋等を設けた構成としてもよい。また、例えば、洗浄水供給部２０の給水ライン２２，２４に、流量調整弁を設け、洗浄水に殺菌成分を混和させる管路を接続した構成とし、通常流量の洗浄水を供給した後に、流量を絞って小流量の殺菌液を供給し得るような態様等としてもよい。
【００２３】
また、殺菌液供給部２６から供給される殺菌液の流量は、上記した洗浄水供給部２０から供給される洗浄水の流量よりも小とされている。この殺菌液の流量は、殺菌液がボウル部１０内面に効果的に接触するように、適宜の流量としてもよい。この殺菌液の流量を、小さくし過ぎれば、ボウル部１０内面の広範囲に亘って接触し難くなる傾向がある一方、大きくし過ぎれば、ボウル部１０内面に沿うように流れる際の膜厚が大きくなり、ボウル部１０内面に接触することなく流れる量が多くなる傾向がある。このような観点から、つまり、ボウル部１０内面に広範囲に亘って接触し、かつ膜厚が小さくなるように、ボウル部１０内面の形状等に応じて、殺菌液の流量を適宜、設定するようにしてもよい。また、殺菌液の流量が適宜の流量となるように、供給ライン２９や分岐給水ライン２７に、適宜、流量調整弁等を設けた態様としてもよい。
【００２４】
また、便器装置１は、洗浄操作がなされれば、洗浄水供給部２０を制御して洗浄水を供給させた後に、殺菌液供給部２６を制御して殺菌液を供給させる制御部１８を備えている。
この制御部１８は、上記したトラップ部１３の駆動機構や、洗浄操作部２１、洗浄水供給弁２３、殺菌液生成部２８、殺菌液供給弁２９ａ等に信号線等を介して接続され、これらを作動制御する。図例では、この制御部１８を、上ケース部６内に設けた例を示しているが、他の部位に設けるようにしてもよく、また、壁面等に設置される便器装置１が備えるリモコン装置に設けるようにしてもよい。
また、この制御部１８には、ＣＰＵ等の制御回路や、メモリ等によって構成され、各種動作プログラム等を記憶する記憶部等が設けられている。
【００２５】
この制御部１８によって各部の制御がなされて後記する各基本動作例の実行がなされる。
以下、本実施形態に係る便器装置１において実行される基本動作の一例を、図３を参照して説明する。
本動作例では、制御部１８は、ボウル部１０の水位が溜水レベルＬＶ１よりも低下した状態で、殺菌液を供給させる構成とされている。また、制御部１８は、ボウル部１０の水位が低水位レベルＬＶ２の状態で、殺菌液を供給させる構成とされている。
また、本動作例では、制御部１８は、低水位レベルＬＶ２から殺菌液の供給を継続させて溜水レベルＬＶ１となるように殺菌液供給部２６及びトラップ部１３を制御する構成とされている。
【００２６】
まず、図３に示すように、洗浄操作部２１の洗浄操作（ＯＮ操作）がされれば、洗浄水供給弁２３を遮断状態（閉状態）から給水先側切替状態（開状態）とする。これにより、給水口２５からボウル部１０に向けて洗浄水が供給される。また、この際、図例では、トラップ部１３を溜水位置よりも高い上位置とした後に、排水位置に変位させる構成としている。これにより、ボウル部１０の水位を溜水レベルＬＶ１よりも一時的に上昇させることができ、排水位置とした際の汚物等の搬送性を向上させることができる。なお、図例では、洗浄水供給弁２３を給水先側切替状態に切り替えた後に、トラップ部１３を上位置に切り替えた例を示しているが、トラップ部１３を上位置に切り替えた後に、洗浄水供給弁２３を給水先側切替状態に切り替えるようにしてもよい。
【００２７】
また、トラップ部１３を排水位置とすれば、排水されてボウル部１０の水位が徐々に低下し、所定時間が経過すれば、トラップ部１３を、溜水位置に切り替える。これにより、ボウル部１０の水位が上昇し、溜水レベルＬＶ１となる。このように溜水レベルＬＶ１となれば、洗浄水供給弁２３を閉状態とし、洗浄水の供給を停止させ、トラップ部１３を、溜水位置から低水位位置に変位させる。これにより、ボウル部１０の水位が低下し、低水位レベルＬＶ２となる。
本動作例では、ボウル部１０の水位が低水位レベルＬＶ２の状態で、殺菌液を供給するようにしている。図例では、トラップ部１０が低水位位置となれば、洗浄水供給弁２３を、閉状態から殺菌液生成部側へ切り替え、殺菌液供給弁２９ａを開とする例を示している。また、図例では、洗浄水供給弁２３の閉状態から殺菌液生成部側への切り替えと殺菌液供給弁２９ａの開とが、トラップ部１３が低水位位置となった直後になされたような例を示しているが、低水位位置の前後になされるものとしてもよい。また、図３〜図５では、殺菌液生成部２８を省略しているが、洗浄水供給弁２３の殺菌液生成部側切替状態への切り替えに連動してＯＮ／ＯＦＦがなされる。
【００２８】
この状態では、ボウル部１０内面に沿うように殺菌液が供給され、溜水レベルＬＶ１よりも下側の部位にも殺菌液が直接的に接触する。また、殺菌液の供給に伴い、トラップ部１３からオーバーフロー状に排水がなされる。そして、殺菌液の供給を継続させたままトラップ部１３を溜水位置に変位させる。これにより、ボウル部１０の水位が上昇し、溜水レベルＬＶ１となる。また、ボウル部１０の水位が溜水レベルＬＶ１となれば、洗浄水供給弁２３及び殺菌液供給弁２９ａを閉とする。図例では、トラップ部１３が溜水位置となった直後に、洗浄水供給弁２３及び殺菌液供給弁２９ａを閉とする例を示しているが、このような態様に限られない。例えば、トラップ部１３が溜水位置となった後も殺菌液の供給が継続されるものとしてもよい。また、低水位位置から溜水位置へのトラップ部１３の切り替えは、所定時間が経過すれば、なされるものとしてもよい。また、洗浄水及び殺菌液の供給制御は、時間制御でもよく、流量制御でもよく、ボウル部１０の水位が溜水レベルＬＶ１となるように、適宜の制御がなされるものとしてもよい。
【００２９】
本実施形態に係る便器装置１は、上述のような構成としたことで、ボウル部１０の内面を殺菌液によって効果的に洗浄することができる。
つまり、洗浄操作がなされれば、洗浄水供給部２０を制御して洗浄水を供給させた後に、殺菌液供給部２６を制御して殺菌液を供給させる制御部１８を備えた構成としている。また、殺菌液供給部２６を、洗浄水よりも小流量の殺菌液をボウル部１０内面に沿わせるように供給する構成としている。従って、洗浄水の全量を殺菌液としたようなものと比べて、殺菌液を少量にできる。また、洗浄水と同流量の殺菌液を供給するようなものと比べて、殺菌液を効果的にボウル部１０の内面に接触させることができ、殺菌液を効果的にボウル部１０内面の洗浄に用いることができる。これにより、必要となる殺菌液量をより効果的に少なくでき、殺菌液を生成する機器（殺菌液生成部２８）の小型化が図れたり、殺菌液生成部２８への負荷を低減したりすることができる。
【００３０】
また、上記した動作例では、制御部１８の制御によってボウル部１０の水位が溜水レベルＬＶ１よりも低下した状態で、殺菌液の供給がなされる構成としている。従って、溜水レベルＬＶ１よりも下側のボウル部１０内面にも殺菌液を直接的に接触させることができ、例えば、溜水状態のボウル部１０に殺菌液を供給するようなものと比べて、ボウル部１０内面をより効果的に洗浄することができる。
【００３１】
また、上記した動作例では、制御部１８によって、低水位レベルＬＶ２から殺菌液の供給を継続させて溜水レベルＬＶ１となるように殺菌液供給部２６及び水位可変機構（トラップ部）１３の制御がなされる構成としている。従って、例えば、低水位レベルＬＶ２のままとしたり、低水位レベルＬＶ２とした後に洗浄水によって溜水レベルＬＶ１とするようなものと比べて、ボウル部１０の内面をより効果的に清浄に保つことができる。
【００３２】
次に、本実施形態に係る便器装置１において実行される基本動作の他例を、図４を参照して説明する。なお、上記した動作例と同様の動作については、説明を省略または簡略に説明する。
上記した動作例では、洗浄操作に伴い、洗浄水を供給して洗浄水によって溜水レベルＬＶ１とした後にトラップ部１３を低水位位置に変位させて低水位レベルＬＶ２として殺菌液を供給する態様とした例を示している。一方、本動作例では、排水状態から低水位レベルＬＶ２となるまで洗浄水の供給を継続させた後、殺菌液の供給に切り替え、溜水レベルＬＶ１とする態様としている。
つまり、図４に示すように、上記同様、洗浄操作部２１の洗浄操作（ＯＮ操作）がされれば、洗浄水供給弁２３を遮断状態（閉状態）から給水先側切替状態（開状態）とし、トラップ部１３を、溜水位置から上位置とした後に、排水位置に変位させる。
【００３３】
また、トラップ部１３を排水位置とし、所定時間が経過すれば、トラップ部１３を、低水位位置に切り替える。これにより、ボウル部１０の水位が上昇し、低水位レベルＬＶ２となる。本動作例では、このように低水位レベルＬＶ２となれば、洗浄水の供給から殺菌液の供給に切り替えるようにしている。つまり、洗浄水供給弁２３を、給水先側切替状態から殺菌液生成部側へ切り替え、殺菌液供給弁２９ａを開とする。図例では、洗浄水供給弁２３の給水先側切替状態から殺菌液生成部側への切り替えと殺菌液供給弁２９ａの開とが、トラップ部１３が低水位位置となった直後になされたような例を示しているが、低水位位置の前後になされるものとしてもよい。
そして、上記同様、殺菌液の供給を継続させたままトラップ部１３を溜水位置に変位させ、ボウル部１０の水位が溜水レベルＬＶ１となれば、洗浄水供給弁２３及び殺菌液供給弁２９ａを閉とする。
本動作例によっても、上記した動作例と概ね同様の効果を奏する。また、上記した動作例と比べて、洗浄水の節水化を図ることができる。
【００３４】
次に、本実施形態に係る便器装置１において実行される基本動作の更に他例を、図５を参照して説明する。なお、上記した各動作例と同様の動作については、説明を省略または簡略に説明する。
上記各動作例では、低水位レベルＬＶ２から溜水レベルＬＶ１までの溜水が殺菌液によってなされる態様とした例を示しているが、本動作例では、洗浄水によってなされる態様としている。
【００３５】
つまり、図５に示すように、上記同様、洗浄操作に伴い、洗浄水を供給し、また、トラップ部１３を、上位置、排水位置及び溜水位置に変位させる。そして、上記同様、トラップ部１３を低水位位置とした状態で、殺菌液を供給する。本動作例では、トラップ部１３を、低水位位置から溜水位置に切り替える際に、殺菌液の供給から洗浄水の供給に切り替えるようにしている。図例では、トラップ部１３を、低水位位置から溜水位置に向けて変位を開始させた直後に、洗浄水供給弁２３の殺菌液生成部側切替状態から給水先側への切り替えと殺菌液供給弁２９ａの閉とがなされたような例を示しているが、その前後になされるものとしてもよい。これにより、洗浄水の供給によってボウル部１０の水位が上昇し、溜水レベルＬＶ１となり、溜水レベルＬＶ１となれば、上記と概ね同様、洗浄水供給弁２３を閉とする。
本動作例によっても、上記した動作例と概ね同様の効果を奏する。
【００３６】
次に、本発明に係る他の実施形態について、図面を参照しながら説明する。
図６は、第２実施形態に係る便器装置の一例を模式的に示す図である。
なお、上記第１実施形態との相違点について主に説明し、同様の構成については、同一の符号を付し、その説明を省略または簡略に説明する。
【００３７】
本実施形態に係る便器装置１Ａは、図６に示すように、リム部１１Ａ及び排水機構の態様が上記第１実施形態とは主に異なる。
本実施形態では、リム部１１Ａを、上記のようなオープンリムではなく、中空筒状とされたものとしている。このリム部１１Ａには、下方側に向けて開口するように多数のリム孔が設けられており、その基端部には、上記同様の洗浄水供給部２０及び殺菌液供給部２６に連通される給水口２５Ａが設けられている。この給水口２５Ａを介して供給された洗浄水または殺菌液は、リム部１１Ａの中空部内を通過しながらリム孔から流下し、ボウル部１０Ａ内面に沿うように供給される。
【００３８】
また、本実施形態では、排水機構を、ボウル部１０Ａの底部側において開口するようにゼット孔を設け、このゼット孔に対向するようにボウル部１０Ａの底部側にトラップ部１３Ａを設けたいわゆるサイホンゼット式としている。つまり、本実施形態では、トラップ部１３Ａを、排水の流路を構成する固定トラップをしている。なお、図例のようなサイホンゼット式に限られず、サイホン式やサイホンボルテックス式、ネオボルテックス式、洗い落とし等の他の排水機構を備えたものとしてもよい。
このトラップ部１３Ａは、ボウル部１０Ａの底部に連通し、排水管部１２Ａを構成するトラップ入口となる端部から斜め上方に向けて延び、トラップ頂部から斜め下方側に向けて屈曲するように設けられ、外部排水管３（図１参照）に接続される。
【００３９】
また、本実施形態では、トラップ部１３Ａに、ボウル部１０Ａの水位を溜水レベルＬＶ１よりも低い低水位レベルＬＶ２において維持可能とした水位可変機構１９を設けている。上記第１実施形態では、トラップ部１３Ａ自体を可変とした例を示したが、本実施形態では、トラップ部１３Ａの流路を構成する壁部の一部を、水位可変機構を構成する可動壁部１９としている。
この可動壁部１９は、トラップ頂部を上下させるように変位する構成とされている。図例では、可動壁部１９を、基端部が便器幅方向に沿う軸廻り回転自在に支持されたものとした例を示している。また、便器装置１Ａの適所には、この可動壁部１９を軸廻りに回転させるモーター等の駆動部が設けられている。また、この駆動部は、上記第１実施形態と同様、便器装置１Ａの適所に設けられた制御部１８（図１参照）に信号線等を介して接続され、作動制御がなされる。
【００４０】
この可動壁部１９を、図６（ａ）に示すように、先端部を基端部よりも上側に位置させた溜水位置とすれば、溜水レベルＬＶ１まで溜水が可能となる。この状態では、可動壁部１９の先端部がトラップ頂部を構成する。また、この溜水位置では、可動壁部１９は、一般的なサイホンゼット式のトラップ部１３Ａの壁部を構成するように、先端側に向かうに従い上るように傾斜状に配される。
一方、この可動壁部１９を、図６（ｂ）に示すように、先端部を基端部よりも下側に位置させた低水位位置とすれば、低水位レベルＬＶ２まで溜水が可能となる。この状態では、可動壁部１９の基端部がトラップ頂部を構成する。また、この低水位位置では、可動壁部１９は、先端側に向かうに従い下るように傾斜状に配される。
上記構成とされた本実施形態においても、上記第１実施形態と概ね同様、各基本動作例の実行が可能である。つまり、可動壁部１９を、低水位位置や溜水位置に変位させ、これに連動させて洗浄水や殺菌液の供給が可能である。
【００４１】
なお、上記各実施形態では、ボウル部１０，１０Ａの水位を溜水レベルＬＶ１よりも低い低水位レベルＬＶ２において維持可能とした水位可変機構１３，１９を設けた例を示しているが、このような水位可変機構１３，１９を設けないようにしてもよい。この場合は、例えば、固定トラップ部のサイホン現象によってボウル部１０，１０Ａの水位が溜水レベルＬＶ１よりも低下した状態で、殺菌液を供給するような態様としてもよい。この場合、溜水レベルＬＶ１となるまで殺菌液の供給を継続させるようにしてもよく、または、殺菌液を供給した後に、洗浄水を供給し、溜水レベルＬＶ１とするような態様等としてもよい。さらには、ボウル部１０，１０Ａの水位が溜水レベルＬＶ１よりも低下した状態で、殺菌液を供給する態様に限られず、溜水レベルＬＶ１において殺菌液を供給するような態様としてもよい。殺菌液の供給タイミングとしては、その他、種々の変形が可能である。
また、上記した各実施形態における互いに異なる構成を、適宜、組み替えたり、組み合わせたりして適用するようにしてもよい。また、上記した各基本動作例における互いに異なる動作を、適宜、組み替えたり、組み合わせたりして適用するようにしてもよい。
【符号の説明】
【００４２】
１，１Ａ      便器装置
１０，１０Ａ  ボウル部
１３          トラップ部（水位可変機構）
１８          制御部
１９          可動壁部（水位可変機構）
２０          洗浄水供給部
２６          殺菌液供給部
ＬＶ１        溜水レベル
ＬＶ２        低水位レベル
【図１】
2017043995.tif 000003
【図２】
2017043995.tif 000004
【図３】
2017043995.tif 000005
【図４】
2017043995.tif 000006
【図５】
2017043995.tif 000007
【図６】
2017043995.tif 000008